【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
リアルタイム音声生成能力を有する手人形であって、前記手人形は、
首部分、頭部分、および口部分を含む身体部分と、
ユーザによる前記手人形の一連の運動を感知し、前記運動に基づいて信号を生成する、複数の電子部品と、
前記複数の電子部品と通信している主回路基板であって、前記複数の電子部品のうちの１つ以上から前記主回路基板によって受信した前記信号は前記手人形の前記一連の運動に基づいて伝送のために処理される、主回路基板と、
前記主回路基板からの伝送を受信し、前記主回路基板から受信した前記伝送に対応する音声を生成する、スピーカと、
前記手人形の操作のための電源と、
を備える、手人形。
【請求項２】
前記手人形の前記口部分は、鼻と、舌と、上顎と、下顎とを備える、請求項１に記載の手人形。
【請求項３】
前記複数の電子部品は、複数の加速度計と、圧力センサと、複数の近接センサとを含む、請求項１に記載の手人形。
【請求項４】
前記複数の加速度計は、前記手人形の前記口部分の中に配置されている、請求項３に記載の手人形。
【請求項５】
前記複数の加速度計のうちの１つは前記手人形の前記上顎の中に配置され、他方の加速度計は前記手人形の前記下顎の中に配置されている、請求項４に記載の手人形。
【請求項６】
前記複数の加速度計は、前記手人形の上顎および下顎の運動中に前記複数の加速度計間の距離を感知する、請求項５に記載の手人形。
【請求項７】
前記圧力センサは、前記手人形の前記上顎の天井部に配置されている、請求項３に記載の手人形。
【請求項８】
前記圧力センサは、前記上顎または前記下顎のみによって前記手人形にまたは別の物体に対して印加される圧力を測定する、請求項７に記載の手人形。
【請求項９】
前記複数の近接センサは、前記手人形の前記口部分の前記鼻の中に配置されている、請求項３に記載の手人形。
【請求項１０】
前記複数の近接センサは、外部の物体または人に対する前記手人形の近接度を検出する、請求項９に記載の手人形。
【請求項１１】
前記主回路基板は、前記複数の加速度計、前記圧力センサ、および前記複数の近接センサから受信した入力データを処理し、前記手人形の前記一連の運動に対応する音声用の伝送信号を生成する、請求項１に記載の手人形。
【請求項１２】
前記スピーカは、前記主回路基板からの前記伝送信号の受信時に起動され、前記スピーカは、前記手人形の前記下顎の中に位置している、請求項１に記載の手人形。
【請求項１３】
前記下顎は、前記スピーカによって生成された音声が複数の穴を通じて発せられるように、前記身体の前部に集中した前記複数の穴を画定する、請求項１２に記載の手人形。
【請求項１４】
前記電源は１つ以上の電池である、請求項１に記載の手人形。
【請求項１５】
前記首部分、前記頭部分、および前記口部分は、動物に似せて設計されている、請求項１に記載の手人形。
【請求項１６】
前記手人形の前記頭部分は、１対の耳および１対の目を備える、請求項１に記載の手人形。
【手続補正２】
【補正対象書類名】明細書
【補正対象項目名】００１０
【補正方法】変更
【補正の内容】
【００１０】
手人形の首部分（４）は頭部分（５）の下に位置し、口部分（６）は頭部分（５）の前に突起している。首部分（４）は、開口部および空洞を備える。開口部は、頭部分（５）の反対側にあり、ユーザに首部分（４）へのアクセスを提供する。首部分の空洞は、ユーザが人形（１）の中に手を入れられるようにし、すると人形はユーザの前腕を包囲する。頭部分（５）および首部分（４）は、空洞を備えており、首部分（４）の空洞の続きである。頭部分（５）は、１対の耳および目を備える。口部分（６）は、口、舌（１２）、および鼻（２）を備える。口部分（６）の空洞は、口の中まで押し出されている。口は、上顎（８）および下顎（９）によって画定されている。上顎（８）および下顎（９）はユーザの手によって操作されることが可能であり、ユーザは人形を操作して複数の電機部品を作動することができ、これらの電機部品はリアルタイム音声を生成することになる。
【手続補正３】
【補正対象書類名】明細書
【補正対象項目名】００１１
【補正方法】変更
【補正の内容】
【００１１】
複数のポケットおよび空洞は、首部分および口部分の内部にわたって一体化されている。複数のポケットおよび空洞は、複数の電子部品を収容して隠す。本発明の好適な実施形態は、空洞を有する首部分（４）と、ポケットを有する頭部分（５）と、頭部分（５）と口部分（６）との間の空洞と、複数の空洞を有する口部分（６）と、を備える。空洞は、口の上顎（８）の中まで一体化されており、空洞は口部分（６）の下顎（９）の中まで一体化されており、空洞は口部分（６）の鼻（２）の中まで一体化されている。口部分（６）の空洞は、複数の電子部品を収容し、複数の電子部品へのアクセスを提供する。ポケットの代替実施形態は、電子部品を保護するためのシールを備えてもよい。本発明の代替実施形態は、追加の電子部品を収容するための追加ポケットおよび空洞を含んでもよい。
【手続補正４】
【補正対象書類名】明細書
【補正対象項目名】００１２
【補正方法】変更
【補正の内容】
【００１２】
本発明のための複数の電子部品は、１対の加速度計（１４、１５）と、圧力センサ（１３）と、主回路基板（７）と、電源（２２）と、複数の近接センサ（３）と、を含む。１対の加速度計（１４、１５）は、口部分（６）の上顎（８）および下顎（９）の空洞の中に各々収容される。１対の加速度計（１４、１５）は、上顎（８）および下顎（９）が互いに分離する角度を検出する。圧力センサ（１３）は、口部分（９）の上顎（８）の空洞の中に収容されている。圧力センサ（１３）は、口部分（６）の空洞内に嵌合されている間、口の閉鎖およびユーザの指によって印加される力の量を検出する。スピーカ（１０）は、ダブ人形の口部分（６）の下顎（９）の空洞の中に収容されている。スピーカ（１０）は、口部分（６）の下顎（９）の前部および中央に位置する複数の穴（１１）を通じて、主回路基板（７）によって出力された音声を発する。図３に示すように、主回路基板（７）は、本発明の電子部品のすべてに接続されている。主回路基板（７）は、加速度計（１４、１５）、圧力センサ（１３）、および複数の近接センサ（３）から入力を受信し、スピーカ（１０）から音声を出力する。主回路基板（７）によって受信された入力は、ユーザによってダウンロードされたコードを通じて進められる。複数のセンサによって検出された上顎（８）と下顎（９）との間の角度およびその他の運動に応じて、特定の音声がスピーカ（１０）から発せられる。その他の運動は、鼻（２）の方向および回転を含む。電源（１８，２２）は、電池筐体およびＵＳＢポートを備える。電池筐体は、主回路基板（７）に接続された電子部品に電力を供給する主回路基板（７）に接続されている。電池筐体は、１つの電池または複数の電池の挿入を必要とする。ＵＳＢポートは主回路基板（７）に接続されている。ＵＳＢポートにより、ＵＳＢケーブルを充電目的のため主回路基板（７）に接続し、ソフトウェアまたはコードを同じ主回路基板（７）上にダウンロードすることが可能になる。複数の近接センサ（３）は、赤外線ＬＥＤ光およびフォトトランジスタを収容する光学赤外線近接センサを含む。複数の近接センサ（３）は、口部分（６）の鼻（２）の空洞の中に収容される。光学近接センサは、鼻（２）と別の物体または存在との間の距離を判断する。代替実施形態はＵＳＢポートを備えなくてもよく、コンピュータに直接接続するための接続手段を有する主回路基板を代わりに備えてもよい。
【手続補正５】
【補正対象書類名】明細書
【補正対象項目名】００１３
【補正方法】変更
【補正の内容】
【００１３】
複数の電子部品の好適な実施形態は、ＰＩＣ２４シリーズのマイクロコントローラ（１９）と、１対のＩ２Ｃ光学近接センサ（３）と、２つの１２Ｃ  ＸＹＺ加速度計（１４、１５）と、圧力センサ（１３）と、スピーカ（１０）を有する音声増幅器と、メモリ（２０）と、音声コーデック（２１）と、リチウムイオン電池（１８）と、を備える。図９に示すように、本発明の好適な実施形態は、高忠実度向け３２キロヘルツでモノラルの１２ビット解像度を有する複数の音声を生成する。
【手続補正６】
【補正対象書類名】明細書
【補正対象項目名】００１５
【補正方法】変更
【補正の内容】
【００１５】
本発明を適切に実施するために、ユーザは電源（２２）の電池筐体の中に１つ以上の電池を挿入する。ユーザは、電池筐体（２２）を介して複数の電子部品をオン（１６）およびオフ（１７）する。電源切り替え（１６、１７）は、人形（１）の音量も制御する。ユーザは、ＵＳＢケーブルを接続することによってＵＳＢケーブルを介して主回路基板（７）をＵＳＢポートに接続する。生成されたコードは主回路基板（７）にダウンロードされ、主回路基板（７）は、１対の加速度計（１４、１５）、圧力センサ（１３）、および複数の近接センサ（３）からの入力を処理することができる。ユーザは、彼または彼女の親指が口部分（６）の下顎（９）の空洞の中に挿入されて残りの指が口部分（６）の上顎（８）の空洞の中に挿入されるまで、首部分（４）の開口部の中に手を挿入する。首部分（４）、頭部分（５）、および口部分（６）との手の嵌合は、図２に示されている。ユーザは、彼または彼女が特定の所望の音声を生成したいと望む通りに頭部分（５）を動かし続けてもよい。主回路基板（７）にダウンロードされたコードは、自然な手の動きに合わせて最適化される。音声コーデック（２１）は、犬の喉、呼吸、口の音響特性、および気管からの低音の効果、ならびに口蓋垂による音の効果を模倣する。犬の音声の合成は、リアルタイムで可能となる。
【手続補正７】
【補正対象書類名】明細書
【補正対象項目名】００１８
【補正方法】変更
【補正の内容】
【００１８】
「舐める」音は、近傍の物体の存在、頭部分（５）が水平であること、および口部分（６）が閉じていることを近接センサ（３）が検出すると、可能になる。舐め音は、滑り運動で合成される。滑り運動は、頭部分（５）が水平となって口部分（６）が閉じ、犬の口が上下に運動しながら物体または好ましくは人の顔に対して押しつけられると、検出される。上向きの持続的運動は、滑り運動の速度が持続する限り、これが合成する舐め音を持続させる。下向きの運動によって舐め音を終了し、舐め音の減衰は、犬の口が近傍の物体から一定距離離れるまで合成される。いずれかの物体に対する滑りのサイクルは著しく変化してもよく、これが行われた場合、舐め音もまた著しく変化することになる。舐め音が作動している間、頭部分（５）のひねりは舐め音の周波数を変化させ、頭部分（５）の傾斜はわずかな位相シフトを加える。頭部分（５）の側方運動は、水分のわずかな音を加える。
【手続補正８】
【補正対象書類名】明細書
【補正対象項目名】００２１
【補正方法】変更
【補正の内容】
【００２１】
「鼻をならす」音は、近傍の物体、頭部分（５）が下向きに傾斜していること、および口部分（６）が閉じていることを近接センサ（３）が検出すると、可能になる。息を吐く音は、頭部分（５）が左に向くと合成される。息を吸う音は、頭部分（５）が右に向くと合成される。左右への数センチメートルの一定な側方運動は、本物みたいな犬の鼻鳴らしを生じる。好適な実施形態は、毎秒わずか１サイクルから毎秒６サイクルまでの速度で左に数センチメートルおよび右に数センチメートルの人形（１）の運動を要する。旋回量の多様性は、鼻鳴らし音に多様性を加える。鼻鳴らし音が作動している間、頭部分（５）の舌の表面までの鼻（２）の距離が増加または減少すると、鼻鳴らしの音量も相応に増加または減少する。鼻（２）と物体との間の距離が３インチよりも増加すると、鼻鳴らし音を中断する。鼻鳴らし音が作動している間、頭部分（５）のひねりは鼻鳴らし音の周波数を変化させ、頭の傾斜はわずかな位相シフトを加える。
【手続補正９】
【補正対象書類名】明細書
【補正対象項目名】００３０
【補正方法】変更
【補正の内容】
【００３０】
「しゃっくり」音は、近傍の物体が存在しないこと、および頭部分（５）が４５°の角度で下向きに傾斜していること、および口部分（６）が開いていることを近接センサ（３）が検出すると、可能になる。しゃっくり音は、頭部分（５）を４５°の角度で下げて口部分（６）を開いたままにしている間に、毎秒１サイクルから毎秒４サイクルまでの速度で口部分（６）を２５°開閉するだけで、運動と同期して合成される。口部分（６）が開閉する速度は変化してもよく、その結果としてしゃっくり音も相応に変化する。しゃっくり音が作動している間、頭部分（５）のひねりは周波数をわずかに変化させ、頭部分（５）の傾斜はわずかな位相シフトを生じる。しゃっくり音が作動している間の頭部分（５）の前後運動は、しゃっくり音の音量を増加または減少させる。
【手続補正１０】
【補正対象書類名】明細書
【補正対象項目名】００３７
【補正方法】変更
【補正の内容】
【００３７】
「放屁」音は、近傍の物体が存在しないこと、および頭部分（５）が水平に保たれていること、および口部分（６）が閉じていることを近接センサ（３）が検出すると、可能になる。放屁音は、頭部分（５）を水平に維持している間、人形を５センチメートルインチだけ素早く落として頭部分（５）を毎秒１サイクルから毎秒４サイクルまでの速度で元通り持ち上げるだけで、運動と同期して合成される。サイクルの速度は変化してもよく、その結果として放屁音も相応に変化する。放屁音が作動している間、頭部分（５）のひねりは周波数をわずかに変化させ、頭部分（５）の傾斜はわずかな位相シフトを生じる。放屁音が作動している間の頭部分（５）の前後運動は、放屁音の音量を増加または減少させる。放屁中、ユーザが物体に向けて鼻（２）を動かした場合、これは近接センサ（３）によって検出されるが、放屁音はより高い周波数に移行する。人形（１）の頭部分（５）が移動する距離が、たとえば１２または１８または２４インチなど、６インチを超えて増加した場合、生成された放屁音の時間が延長される。
【手続補正１１】
【補正対象書類名】明細書
【補正対象項目名】００４３
【補正方法】変更
【補正の内容】
【００４３】
「唾を吐く」音は、近傍の物体が存在しないこと、および頭部分（５）が４５°の角度で下を向いていること、および口部分（６）がわずかに開いていることを近接センサ（３）が検出すると、可能になる。唾吐き音は、口部分（６）を開いたままで頭部分（５）を下に向けている間、頭部分（５）を上に動かし、唾吐き音を生じるために毎秒１サイクルから毎秒４サイクルで頭部分（５）を前向きに叩くだけで、運動と同期して合成される。唾吐きサイクルの速度は変化してもよく、その結果として唾吐き音も相応に変化する。唾吐き音が作動している間、頭部分（５）のひねりは周波数をわずかに変化させ、頭部分（５）の傾斜はわずかな位相シフトを生じる。
【手続補正１２】
【補正対象書類名】明細書
【補正対象項目名】００４４
【補正方法】変更
【補正の内容】
【００４４】
「ゲップをする」音は、近傍の物体が存在しないこと、および頭部分（５）が下向きであること、および口部分（６）が閉じていることを近接センサ（３）が検出（３）すると、可能になる。ゲップ音は、口部分（６）を閉じたままで頭部分（５）を下に向けている間、頭部分（５）が４５°の角度で上に向くように頭部分（５）を高速で上に向けて動かし、ゲップ音を生じるために同時に口部分（６）を開くだけで、同期して合成される。ゲップ音が作動している間、頭部分（５）のひねりは周波数をわずかに変化させ、頭部分（５）の傾斜はわずかな位相シフトを生じる。ゲップ音が作動している間、ユーザが頭部分（５）を小刻みに動かした場合、ゲップ音は小刻みに動いた量に応じて小さくなる。
【手続補正１３】
【補正対象書類名】明細書
【補正対象項目名】００４５
【補正方法】変更
【補正の内容】
【００４５】
「低く唸る」声は、近傍の物体の存在、頭部分（５）が下向きに傾斜していること、および口部分（６）が閉じていることを近接センサ（３）が検出すると、可能になる。好適な実施形態は、毎秒わずか１サイクルから毎秒６サイクルまでの速度で低い唸り声を生じるために人形（１）の頭部分（５）を数センチメートル前後に動かすことを要する。前後サイクルの速度は変化してもよく、その結果として低い唸り声も相応に変化する。鼻鳴らし音が作動している間、頭部分（５）のひねりは鼻鳴らし音の周波数を変化させ、頭部分（５）の傾斜はわずかな位相シフトを加える。